(57)【要約】【課題】ＤＭＰ機器に記録されたプレイリストをＰＣで再生する際に、特別なアプリケーションを用いることなく、容易に再生させる。【解決手段】記憶部１４のルートフォルダには、「アルバムＡ」〜「アルバムＣ」フォルダとプレイリストとしての「お気に入り」フォルダとが設けられる。「アルバムＡ」〜「アルバムＣ」フォルダには、それぞれ、アルバムＡ〜アルバムＣのオーディオデータが記録されている。「お気に入り」フォルダには、ショートカットファイルが記録され、それぞれのショートカットファイルには、関連付けられたオーディオデータへのパスが記述されている。プレイリストを再生する場合、ユーザが「お気に入り」フォルダ内のショートカットファイルを選択すると、ショートカットファイルに記述されたパスのオーディオデータに関連付けられたアプリケーションが起動し、オーディオデータが再生される。【選択図】図４
2008192261.tif 000002
【特許請求の範囲】
【請求項１】
再生装置および記録装置を接続し、上記記録装置に記録された、ユーザの好みに応じたオーディオデータが関連付けられたプレイリストを、上記再生装置によって再生する再生方法において、
上記プレイリストが上記再生装置上のショートカットファイルで構成される
ようにしたことを特徴とする再生方法。
【請求項２】
請求項１に記載の再生方法において、
上記プレイリストは、複数のショートカットファイルで構成され、
１つのショートカットファイルに対して、１つのオーディオデータが関連付けられている
ことを特徴とする再生方法。
【請求項３】
再生装置および記録装置を接続し、上記記録装置に記録された、ユーザの好みに応じたオーディオデータが関連付けられたプレイリストを、上記再生装置によって再生する再生方法をコンピュータ装置に実行させる再生プログラムにおいて、
上記プレイリストが上記再生装置上のショートカットファイルで構成される
ようにした再生方法をコンピュータ装置に実行させることを特徴とする再生プログラム。
【発明の詳細な説明】
【技術分野】
【０００１】
この発明は、記録装置に記録された、ユーザの好みに応じてオーディオデータが関連付けられたプレイリストを、再生装置によって再生する再生方法および再生プログラムに関する。
【背景技術】
【０００２】
近年、ＭＰ３（MPEG-1 audio layer 3）やＡＡＣ（Advanced Audio Coding）等の所定の圧縮符号化方式を用いて圧縮したオーディオデータなどを記録し、記録したオーディオデータを再生することができるディジタルミュージックプレーヤ（Digital Music Player；以下、ＤＭＰ機器と適宜称する）が普及している。
【０００３】
このようなＤＭＰ機器にオーディオデータを記録する場合には、通常、ＤＭＰ機器とＰＣ（Personal Computer）とを接続し、ＰＣの記録媒体に記録されているオーディオデータをＤＭＰ機器に供給し、ＤＭＰ機器の記録媒体に記録するようにしている。
【０００４】
ＤＭＰ機器にオーディオデータを記録する際には、所定のアプリケーションが用いられる。ＰＣからＤＭＰ機器に対してオーディオデータを記録する場合には、このアプリケーションを起動し、ユーザが所定の操作を行ってオーディオデータを選択し、ＤＭＰ機器に記録する。
【０００５】
また、このアプリケーションは、ＰＣの記録媒体に記録されている多数のオーディオデータの中から、ユーザの好みなどに応じて選択された複数のオーディオデータの再生順序などが記述されたプレイリストを作成し、作成したプレイリストをＤＭＰ機器の記録媒体に記録することができる。ＤＭＰ機器では、オーディオデータを再生する際に、このプレイリストを選択することにより、プレイリストに記述された再生順序でオーディオデータを再生することもできる。
【０００６】
プレイリストには、再生するオーディオデータへのパスが再生順に記述されており、このファイルがプレイリストであることをアプリケーションが認識できるように、所定の拡張子が付与されている。例えば、オーディオデータの圧縮方式としてＭＰ３を用いたオーディオデータに関するプレイリストの場合には、一般に、拡張子として「．ｍ３ｕ（または．Ｍ３Ｕ）」が付与されている。
【０００７】
ＤＭＰ機器内の記録媒体には、アルバム毎のオーディオデータを記録するためのフォルダと、プレイリスト用のフォルダとが設けられている。具体的には、例えば、図６Ａに示すように、ＤＭＰ機器内の記録媒体にはルートフォルダが設けられ、ルートフォルダ内には、さらにアルバム毎のフォルダである「アルバムＡ」フォルダ、「アルバムＢ」フォルダおよび「アルバムＣ」フォルダと、プレイリストを記録するための「お気に入り」フォルダとが設けられている。
【０００８】
「アルバムＡ」、「アルバムＢ」および「アルバムＣ」フォルダには、それぞれ、アルバムＡのオーディオデータ“Ｔｒａｃｋ０１．ｍｐ３”〜“Ｔｒａｃｋ０３．ｍｐ３”、アルバムＢのオーディオデータ“Ｔｒａｃｋ０１．ｍｐ３”〜“Ｔｒａｃｋ０５．ｍｐ３”、および、アルバムＣのオーディオデータ“Ｔｒａｃｋ０１．ｍｐ３”〜“Ｔｒａｃｋ０４．ｍｐ３”が記録されている。
【０００９】
「お気に入り」フォルダには、従来のプレイリスト“ＭｙＦａｖｏｒｉｔｅ．ｍ３ｕ”が保存されている。プレイリスト“ＭｙＦａｖｏｒｉｔｅ．ｍ３ｕ”には、図６Ｂに示すように、再生するオーディオデータへのパスが再生順序に従って記述されている。この例では、再生するオーディオデータのパスが、例えば相対パスで記述されており、再生順は、「アルバムＡ」フォルダの“Ｔｒａｃｋ０１．ｍｐ３”、「アルバムＢ」フォルダの“Ｔｒａｃｋ０５．ｍｐ３”、「アルバムＣ」の“Ｔｒａｃｋ０２．ｍｐ３”となっている。
【００１０】
ここで、ＤＭＰ機器内の記録媒体に記録されたオーディオデータや、プレイリストに記述されたオーディオデータを、ＰＣを用いて再生する場合について考える。ＤＭＰ機器は、ＰＣに接続されると、ＰＣのストレージデバイスとして認識され、ＰＣの制御により、オーディオデータの記録や再生を行うことができるようになっている。例えば、ＤＭＰ機器がＰＣに接続されている状態において、ユーザがＰＣに設けられた操作部を操作し、ＤＭＰ機器内の記録媒体に記録されたオーディオデータを選択すると、対応するアプリケーションが起動し、オーディオデータを再生することができる。
【００１１】
具体的には、例えば、「アルバムＡ」、「アルバムＢ」または「アルバムＣ」フォルダ内のオーディオデータを再生する場合、それぞれのフォルダ内の先頭のオーディオデータ「Ｔｒａｃｋ０１．ｍｐ３」を選択することにより、対応するアプリケーションが起動し、ファイル名の順番に再生される。このように、オーディオデータを選択することにより対応するアプリケーションが起動するのは、オーディオデータの拡張子「．ｍｐ３」がＰＣに標準的に搭載されたアプリケーションに関連付けられているためである。
【００１２】
ＰＣにおいては、一般的な拡張子である「．ｍｐ３」や「．ｔｘｔ」、「．ｘｌｓ」などの拡張子が付いているファイルは、ＰＣに標準的に搭載された所定のアプリケーションに関連付けられいる。したがって、これらのファイルを選択した場合には、特別の操作や設定を行う必要がなく、対応するアプリケーションが起動してファイルを実行することができるようになっている。
【００１３】
また、プレイリストに記述されたオーディオデータを再生する場合には、このプレイリストを認識することができるアプリケーションがＰＣにインストールされている必要がある。例えば、プレイリストを示す拡張子である「．ｍ３ｕ」のプレイリストに対応するアプリケーションがＰＣにインストールされている場合には、拡張子が「．ｍ３ｕ」のプレイリストがこのアプリケーションに関連付けられる。そのため、拡張子が「．ｍ３ｕ」であるプレイリストが選択された際には、対応するアプリケーションが起動し、プレイリストに記述されているオーディオデータを再生することができる。
【００１４】
このように、プレイリストに基づきオーディオデータを再生する方法が、下記の特許文献１に記載されている。
【００１５】
【特許文献１】特開２００４−３６２６９７号公報
【発明の開示】
【発明が解決しようとする課題】
【００１６】
ところで、プレイリストを作成可能なアプリケーションによっては、独自の記述形式を用いてプレイリストを作成している場合がある。この場合、このプレイリストを認識することができるのは、対応するアプリケーションをインストールしているＰＣのみである。すなわち、オーディオデータを再生する際に使用するアプリケーションによっては、オーディオデータを再生することができても、プレイリストを認識することができない場合が考えられる。
【００１７】
具体的には、例えば、上述と異なるアプリケーションを用いてオーディオデータを再生するＰＣにおいては、拡張子が「．ｍｐ３」であるＭＰ３形式のオーディオデータを認識して再生することができても、拡張子が「．ｍ３ｕ」であるプレイリストを認識することができないといった場合が考えられる。
【００１８】
このような場合に、ユーザがこのプレイリストを選択すると、ＰＣはプレイリストを認識することができず、例えば、アプリケーションを選択するためのメッセージが表示されて再生することができない。そのため、ＰＣには、このプレイリストを認識し、プレイリストに記述された内容を解釈することができるアプリケーションを予めインストールしておく必要がある。
【００１９】
このように、独自の記述形式を用いたプレイリストを認識することができるアプリケーションがインストールされていない場合、ＰＣは、プレイリストを認識することができず、このプレイリストに記述されたオーディオデータを再生することができないという問題点があった。
【００２０】
したがって、この発明の目的は、ＤＭＰ機器に記録されたプレイリストをＰＣで再生する際に、特別な操作や設定、アプリケーション等を必要とすることなくプレイリストを認識して、容易に再生することができる再生方法および再生プログラムを提供することにある。
【課題を解決するための手段】
【００２１】
上述した課題を解決するために、第１の発明は、再生装置および記録装置を接続し、記録装置に記録された、ユーザの好みに応じたオーディオデータが関連付けられたプレイリストを、再生装置によって再生する再生方法において、プレイリストが再生装置上のショートカットファイルで構成されるようにしたことを特徴とする再生方法である。
【００２２】
また、第２の発明は、再生装置および記録装置を接続し、記録装置に記録された、ユーザの好みに応じたオーディオデータが関連付けられたプレイリストを、再生装置によって再生する再生方法をコンピュータ装置に実行させる再生プログラムにおいて、プレイリストが再生装置上のショートカットファイルで構成されるようにした再生方法をコンピュータ装置に実行させることを特徴とする再生プログラムである。
【００２３】
上述したように、第１および第２の発明では、再生装置および記録装置を接続し、記録装置に記録された、ユーザの好みに応じたオーディオデータが関連付けられたプレイリストを、再生装置によって再生する再生方法において、プレイリストが再生装置上のショートカットファイルで構成されるようにしているため、再生の際に、特別な操作やアプリケーションを必要とすることなく、オーディオデータに関連付けられた標準的なアプリケーションにより、オーディオデータが再生される。
【発明の効果】
【００２４】
この発明は、プレイリストとしてショートカットファイルを用いることにより、特別な操作やアプリケーションを用いることなくプレイリストを認識し、プレイリストに関連付けられたオーディオデータを容易に再生することができるという効果がある。
【発明を実施するための最良の形態】
【００２５】
以下、この発明の実施の一形態について説明する。この発明の実施の一形態では、例えば、図１の使用形態の一例に示すように、オーディオデータを記録可能な記録装置としてのＤＭＰ（Digital Music Player）機器１を再生装置としてのＰＣ（Personal Computer）２に接続し、ＰＣ２の制御に基づきＤＭＰ機器１に記録されたオーディオデータを再生する際に、オーディオデータの再生順序が記述されたプレイリストを、ＰＣ２で標準的にサポートされているショートカットファイルを用いるようにしている。
【００２６】
ＤＭＰ機器１は、図２に示すように、ＣＰＵ（Central Processing Unit）１１、ＲＯＭ（Read Only Memory）１２、ＲＡＭ（Random Access Memory）１３、記憶部１４、出力部１５、操作部１６および接続部１７がバス１８を介して接続される構成となっている。ＤＭＰ機器１は、ＰＣ２と接続した際に、ＰＣ２のストレージデバイスとして認識され、後述するＰＣ２のＣＰＵ２１の制御により、記憶部１４に対するオーディオデータやプレイリストの記録や読み出しが直接的に行われるようになっている。
【００２７】
ＣＰＵ１１は、ＲＯＭ１２に予め格納されたプログラムに従い、ＲＡＭ１３をワークメモリとしてバス１８に接続された各部を制御する。また、ＣＰＵ１１は、記憶部１４から読み出した、ＭＰ３（MPEG-1 audio layer 3）やＡＡＣ（Advanced Audio Coding）などの所定の圧縮符号化処理が施されたオーディオデータに対して伸長処理などの所定の信号処理を施すとともに、復号や音量の調整、音質の調整などを行うことにより音声信号に変換し、出力部１５に供給する。
【００２８】
記憶部１４は、ＨＤＤ（Hard Disc Drive）や不揮発性メモリなどの記録媒体からなり、オーディオデータを再生する際に、記録媒体からオーディオデータを読み出し、ＣＰＵ１１に供給する。また、このＤＭＰ機器１がＰＣ２のストレージデバイスとしてされている場合には、ＰＣ２のＣＰＵ２１の制御により、ＰＣ２から接続部１７を介して供給されたオーディオデータやプレイリストを記録する。さらに、記憶部１４は、ＰＣ２のＣＰＵ２１の制御により、オーディオデータを読み出し、接続部１７を介してＰＣ２に供給する。
【００２９】
出力部１５は、例えばスピーカや出力端子であり、ＣＰＵ１１から供給された音声信号をスピーカや出力端子に接続されたヘッドフォンから出力する。操作部１６は、例えば、ＤＭＰ機器１に設けられたダイヤルキーやその他キーなどの操作子が用いられ、オーディオデータを再生する際にオーディオデータの選択や音量調整などを行う場合に操作される。
【００３０】
接続部１７は、所定の接続方式により後述するＰＣ２に設けられた接続部２８と接続され、所定のプロトコルを用いて通信を行うことによりオーディオデータやプレイリストの送受信を行う。接続方式としては、例えばＵＳＢ（Universal Serial Bus）やＩＥＥＥ（Institute of Electrical and Electronic Engineers）１３９４を用いることができる。接続部１７は、ＰＣ２から受け取ったオーディオデータやプレイリストを記憶部１４に供給する。
【００３１】
ＰＣ２は、図３に示すように、ＣＰＵ２１、ＲＯＭ２２、ＲＡＭ２３、記憶部２４、ディスクドライブ２５、出力部２６、操作部２７および接続部２８がバス２９を介して接続される構成となっている。また、ＰＣ２に対して上述のＤＭＰ機器１が接続された場合、ＰＣ２は、ＤＭＰ機器１をストレージデバイスとして認識することができ、ＤＭＰ機器１の記憶部１４に対するオーディオデータやプレイリストの記録や読み出しを直接的に行うことができる。なお、ここでは、着脱可能なディスク状記録媒体としてＣＤ（Compact Disc）３を用いた場合を例にとって説明する。
【００３２】
ＣＰＵ２１は、ＲＯＭ２２に予め格納されたプログラムに従い、ＲＡＭ２３をワークメモリとしてバス２９に接続された各部を制御する。また、ＣＰＵ２１は、ディスクドライブ２５から供給されたオーディオデータに対して所定の圧縮符号化処理を施し、記憶部２４に供給する。オーディオデータの圧縮符号化処理としては、例えば、ＭＰ３（MPEG-1 audio layer 3）やＡＡＣ（Advanced Audio Coding）などを用いることができる。
【００３３】
記憶部２４は、ＨＤＤなどの記録媒体からなり、ＣＰＵ２１から供給されたオーディオデータや作成されたプレイリストを記録する。また、記憶部２４は、オーディオデータを再生する際に、記録媒体からオーディオデータを読み出し、ＣＰＵ２１に供給する。さらに、記憶部２４には、記録媒体に記録されたオーディオデータをＤＭＰ機器１に記録するためのアプリケーションが記録されている。
【００３４】
ディスクドライブ２５は、オーディオデータが記録されたＣＤ３が装着された場合に、ＣＤ３からオーディオデータを読み出し、復調処理等の所定の信号処理を施す。そして、ディスクドライブ２５は、復調されたオーディオデータをＣＰＵ２１に供給する。
【００３５】
表示部２６は、例えばＬＣＤ（Liquid Crystal Display）が用いられ、ＣＰＵ２１の制御に基づき種々の表示を行う。操作部２７は、例えば、キーボードやマウスなどが用いられ、オーディオデータをＤＭＰ機器１に記録する場合や、ＤＭＰ機器１に対してオーディオデータやプレイリストを記録するためのフォルダを作成する場合などに操作される。
【００３６】
接続部２８は、所定の接続方式によりＤＭＰ機器１に設けられた接続部１７と接続され、所定のプロトコルを用いて通信を行うことによりデータの送受信を行う。接続方式としては、例えばＵＳＢやＩＥＥＥ１３９４を用いることができる。接続部２８は、ＣＰＵ２１から供給されたオーディオデータを、接続部１７を介してＤＭＰ機器１に供給する。
【００３７】
次に、ＤＭＰ機器１内の記憶部１４におけるフォルダ構成について説明する。この例では、圧縮符号化方式としてＭＰ３方式を用いた場合について説明する。記憶部１４には、アルバム毎のオーディオデータを記録するためのフォルダと、プレイリスト用のフォルダとが設けられている。具体的には、例えば、図４に示すように、記憶部１４にはルートフォルダが設けられ、このルートフォルダ内には、さらにアルバム毎のフォルダである「アルバムＡ」フォルダ、「アルバムＢ」フォルダおよび「アルバムＣ」フォルダと、プレイリストとしての「お気に入り」フォルダとが設けられている。
【００３８】
「アルバムＡ」、「アルバムＢ」および「アルバムＣ」フォルダには、それぞれ、アルバムＡのオーディオデータ“Ｔｒａｃｋ０１．ｍｐ３”〜“Ｔｒａｃｋ０３．ｍｐ３”、アルバムＢのオーディオデータ“Ｔｒａｃｋ０１．ｍｐ３”〜“Ｔｒａｃｋ０５．ｍｐ３”、および、アルバムＣのオーディオデータ“Ｔｒａｃｋ０１．ｍｐ３”〜“Ｔｒａｃｋ０４．ｍｐ３”が記録されている。オーディオデータの拡張子「．ｍｐ３」は、オーディオデータの圧縮符号化方式として、ＭＰ３方式を用いた場合の拡張子を示す。
【００３９】
なお、この例では、オーディオデータの圧縮符号化方式としてＭＰ３方式を用いた場合について説明したが、これはこの例に限られず、例えば、ＡＡＣ方式などの別の圧縮符号化方式を用いてもよい。
【００４０】
「お気に入り」フォルダには、複数のショートカットファイルが記録されている。ショートカットファイルは、別のファイルへの参照として機能する、実体のないファイルやアイコンを示し、見かけ上は、ショートカットファイルが記録されている場所に実際のデータがあるように扱うことができる。
【００４１】
この発明の実施の一形態では、ショートカットファイルには、１つのオーディオデータが関連付けられ、ショートカットファイル内部には、関連付けられたオーディオデータへのパスが記述されている。関連付けられたオーディオデータへのパスは、例えば、このショートカットファイルが記録されたフォルダからの関係を示す相対パスで記述されている。
【００４２】
具体的には、例えば、図４Ａに示すように、「お気に入り」フォルダにショートカットファイル“Ｆａｖｏｒｉｔｅ０１．ｌｎｋ”〜“Ｆａｖｏｒｉｔｅ０３．ｌｎｋ”が記録されている。そして、図４Ｂに示すように、“Ｆａｖｏｒｉｔｅ０１．ｌｎｋ”には、「アルバムＡ」フォルダに記録されたオーディオデータ“Ｔｒａｃｋ０１．ｍｐ３”が関連付けられ、対応するパスが記述されている。また、“Ｆａｖｏｒｉｔｅ０２．ｌｎｋ”には、「アルバムＢ」フォルダに記録されたオーディオデータ“Ｔｒａｃｋ０５．ｍｐ３”が関連付けられ、対応するパスが記述されている。さらに、“Ｆａｖｏｒｉｔｅ０３．ｌｎｋ”には、「アルバムＣ」フォルダに記録されたオーディオデータ“Ｔｒａｃｋ０２．ｍｐ３”が関連付けられ、対応するパスが記述されている。
【００４３】
この場合のショートカットファイルの拡張子は、ＰＣ２がショートカットファイルとして認識することができる拡張子とし、例えば、拡張子を「．ｌｎｋ」とする。また、ショートカットファイルのファイル名は、ユーザが任意に決定することができる。
【００４４】
なお、この例では、関連付けられたオーディオデータへのパスの記述方法として相対パスによる記述方法を用いたが、これはこの例に限られず、例えば絶対パスによる記述方法を用いてもよい。
【００４５】
プレイリストに記述されたオーディオデータを再生する場合、ユーザが「お気に入り」フォルダ内のショートカットファイルを選択すると、ショートカットファイルに記述されたリンク先のオーディオデータに関連付けられたアプリケーションが起動し、オーディオデータが再生される。このとき、「お気に入り」フォルダに複数のショートカットファイルが記録されていると、「お気に入り」フォルダ内のショートカットファイルに関連付けられたオーディオデータを連続的に再生することができる。この場合におけるオーディオデータの再生順序は、例えば、「お気に入り」フォルダ内のショートカットファイルのファイル名の「あいうえお順」や「アルファベット順」となる。
【００４６】
このように、「お気に入り」フォルダ内にショートカットファイルを記録することにより、再生する際には、記録されたショートカットファイルに関連付けられたオーディオデータが再生されるため、この「お気に入り」フォルダ自体が従来のプレイリストと同様に機能する。
【００４７】
次に、プレイリストにオーディオデータを登録する際の処理の流れについて、図５のフローチャートを用いて説明する。なお、以下では、特に記載がない限り、処理がＰＣ２のＣＰＵ２１で行われるものとする。ステップＳ１において、ユーザがＰＣ２の操作部２７を操作することにより、ＤＭＰ機器１記憶部１４にプレイリストとしての「お気に入り」フォルダを作成する。
【００４８】
ステップＳ２では、ユーザによるＰＣ２に対する操作により、プレイリストに登録したいオーディオデータが選択され、ステップＳ３で、ＣＰＵ２１は、選択されたオーディオデータのショートカットファイルを作成する。ステップＳ４において、作成されたショートカットファイルを、記憶部１４に設けられた「お気に入り」フォルダに登録する。
【００４９】
ステップＳ５では、プレイリストに登録したいオーディオデータのショートカットファイルが全て「お気に入り」フォルダに登録されたかどうかが判断される。プレイリストに登録したい全てのオーディオデータが登録されたと判断した場合には、一連の処理が処理が終了する。一方、プレイリストに登録したい全てのオーディオデータが登録されていないと判断した場合には、処理がステップＳ２に戻る。
【００５０】
このように、この発明の実施の一形態では、オーディオデータのショートカットファイルを作成し、作成したショートカットファイルをプレイリスト用のフォルダに記録することにより、プレイリストが作成されるため、特別な操作を行うことなく容易にプレイリストを作成することができる。
【００５１】
また、ＤＭＰ機器１に記録されたオーディオデータを直接的に操作することなく、ショートカットファイルのコピーや移動を行うことにより、プレイリストの編集や新たなプレイリストの作成を容易に行うことができる。
【００５２】
以上、この発明の実施の一形態および実施の一形態の変形例について説明したが、この発明は、上述したこの発明の実施の一形態および実施の一形態の変形例に限定されるものではなく、この発明の要旨を逸脱しない範囲内で様々な変形や応用が可能である。例えば、ＤＭＰ機器の替わりに、不揮発性メモリを内蔵したメモリカードやＵＳＢメモリなどを用いてもよい。
【図面の簡単な説明】
【００５３】
【図１】使用形態の一例を示す略線図である。
【図２】ＤＭＰ機器の一例の構成を示すブロック図である。
【図３】ＰＣの一例の構成を示すブロック図である。
【図４】この発明の実施の一形態によるＤＭＰ機器内の記録媒体におけるフォルダ構成について説明するための略線図である。
【図５】プレイリストにショートカットファイルを登録する際の処理の流れを示すフローチャートである。
【図６】従来のＤＭＰ機器内の記録媒体におけるフォルダ構成について説明するための略線図である。
【符号の説明】
【００５４】
１  ＤＭＰ機器
２  ＰＣ
１１  ＣＰＵ
１２  ＲＯＭ
１３  ＲＡＭ
１４  記憶部
１５  出力部
１６  操作部
１７  接続部
【図１】
2008192261.tif 000003
【図２】
2008192261.tif 000004
【図３】
2008192261.tif 000005
【図４】
2008192261.tif 000006
【図５】
2008192261.tif 000007
【図６】
2008192261.tif 000008